(57)【要約】【課題】  簡単な操作でシール部材の交換ができると共に、再組み付けの際に、ローター軸とモーター軸との間に軸ズレが生じない機構を備えた送液ポンプを提供する。【解決手段】  内部にポンプ室５を備え且つ基板２に固定されたポンプボデイ１と、該ポンプボデイ１に着脱自在に連結された軸受け部材１１と、この軸受け部材１１に保持されたローター軸６と、前記ポンプ室５に配置され且つローター軸６によって回転するポンプロータ３と、ポンプボデイ１内でローター軸周面に配置されたシール部材１２と、前記ポンプロータ３を駆動するためのモーター１４とからなり、前記モーター１４は軸受け部材１１に連結保持され、ローター軸６とモーター軸１５とはカップリング１６を介して分離可能に連結された構造とされ、前記シール部材１２は軸受け部材１１を取り外すことによって着脱できるように形成されている構成とする。【選択図】図１
0003117327.tif 000002
【実用新案登録請求の範囲】
【請求項１】
内部にポンプ室を備え且つ基板に固定されたポンプボデイと、該ポンプボデイに着脱自在に連結された軸受け部材と、この軸受け部材に保持されたローター軸と、前記ポンプ室に配置され且つローター軸によって回転するポンプロータと、ポンプボデイ内でローター軸周面に配置されたシール部材と、前記ポンプロータを駆動するためのモーターとからなり、前記モーターは軸受け部材に連結保持され、ローター軸とモーター軸とはカップリングを介して分離可能に連結され、前記シール部材は軸受け部材をポンプボデイから取り外すことによって着脱できるように形成されている液送ポンプ。
【請求項２】
前記モーターが、軸受け部材から一体的に延設されたフランジ部に対しスペーサーを介して取り付けられている請求項１に記載の送液ポンプ。
【請求項３】
シール部材を軸受け部材側から弾圧するスプリングが軸受け部材とポンプボデイとの間に装着されている請求項２に記載の送液ポンプ。
【考案の詳細な説明】
【技術分野】
【０００１】
本考案は送液ポンプに関するものであり、殊に、レーザー回析式粒度分布測定装置において、試料粒と液体とを混合したサンプル液を測定部に送るのに好適に使用される送液ポンプ機構に関する。
【背景技術】
【０００２】
従来、レーザー回析式粒度分布測定装置に使用される送液ポンプとして、図３に示すものがある。この送液ポンプは、分散槽で攪拌分散した試料粒と液体との混合サンプル液を測定部に送液する動作を担い、液流入管２０からポンプ室２１に取り入れられたでサンプル液がポンプロータ２２で液流出管２３に送り出される。ポンプロータ２２の軸２４は基板２５に固定した軸受台２６の軸受け２７に支持され、ローター軸２４の他端がカップリング２８を介してモーター２９の軸３０に連結されている。更に、ポンプ室２１からのサンプル液のリークを防止するために、ローター軸２４の周囲に複数のリング状のシール部材３１が配置され、カラー３２、スプリング３３を介在させた状態で着脱自在なナット部材３４により緊密に嵌め込まれている構造となっている。
【０００３】
サンプル液に混合されている試料粒の直径は、ナノメートル単位の非常に小さなものからマイクロメートル、ミリメートル単位のものまで多岐にわたるが、そのサイズや粒種によっては、液と共に主軸の回転周面に浸透するため、シール部材の摩耗が激しく、度々の交換を必要とする。この交換は、モーター２９を固定するネジ２９ａとカップリング２８の固定ネジ２８ａを緩めてモーター２９をカップリング２８と共に取り外し、次いで軸受台２６を固定するネジ２６ａを緩めて軸受台２６をローター軸２４から取り外した後、ナット部材３４をカラー３２並びにスプリング３３と共に取り外し、最後にシール部材３１を交換する作業を行う。シール部材を交換したあとは、先の分解作業とは逆の手順で各部材を組み付ける。
【考案の開示】
【考案が解決しようとする課題】
【０００４】
しかし、この従来構造では、シール交換時の各部材の取り外しや再組み付け作業が上述したように大変煩雑で面倒であると共に、軸受台２６やモーター２９等の着脱部分が多いため、再組み付けの際に、ローター軸２４とモーター軸３０の軸芯が微妙にずれることがある。軸芯がずれると、騒音や振動が生じ、また流体の流れが不安定になり、分析結果に悪影響を及ぼす。したがって、交換の都度、精密な軸合わせが必要となって、シール部材の交換作業を更に煩雑なものにしていた。
【０００５】
そこで本考案は、簡単な操作でシール部材の交換ができると共に、再組み付けの際に、ローター軸とモーター軸との間に軸ズレが生じない機構を備えた送液ポンプを提供することを主たる目的とするものである。
【課題を解決するための手段】
【０００６】
上記目的を達成する為に本考案では次のような技術的手段を講じた。即ち、本考案に係る送液ポンプにあっては、内部にポンプ室を備え且つ基板に固定されたボデイと、該ボデイに着脱自在に連結された軸受け部材と、この軸受け部材に保持されたローター軸と、前記ポンプ室に配置されローター軸によって回転するポンプロータと、ポンプボデイ内でローター軸周面に配置されたシール部材と、前記ポンプロータを駆動するためのモーターとからなり、前記モーターは軸受け部材に連結保持され、ローター軸とモーター軸とはカップリングを介して分離可能に連結され、前記シール部材は軸受け部材をポンプボデイから取り外すことによって着脱できるように形成されている構造とした。
【考案の効果】
【０００７】
本考案の送液ポンプによれば、ポンプボデイに対して着脱自在な軸受け部材にモーターが保持されているので、軸受け部材をカップリングと共に取り外すだけでモーターもポンプボデイから取り外すことができ、これにより、簡単な操作にて短時間でシール部材を交換することができると共に、モーターは軸受け部材に連結保持されているものであるから、ローター軸を受ける軸受け部材の軸芯とモーター軸の軸芯とは変動することがなく常に設定位置に保持されており、したがって、再組み付け時において、ローター軸の軸芯とモーター軸の軸芯との間に狂いが生じることがなくなって、シール部材の交換の都度従来行っていた面倒な軸合わせ作業をなくすることができる、といった効果がある。
更に加えて、軸受け部材をポンプボデイに取り付けて、この軸受け部材にモーターを保持する構造とすることにより、ポンプが小型軽量化してコスト安になるといった効果もある。
【０００８】
（その他の課題を解決するための手段及び効果）
上記考案において、前記モーターが、軸受け部材から一体的に延設されたフランジ部に対しスペーサーを介して取り付けられている構造とするのがよい。
これにより、モーターを軸受け部材に対し、簡単な構成で強固に連結保持させることができる。
【０００９】
また上記考案において、シール部材を軸受け部材側から弾圧するスプリングを軸受け部材とシール部材との間に装着するのがよい。
これにより、シール部材を常に所定の圧力でシール部材収納スペースに押しつけてローター軸周面に密着させ、シール効果を高めることができる。
【考案を実施するための最良の形態】
【００１０】
以下において、本考案にかかる液送ポンプについて図面に基づき詳細に説明する。
図１は、レーザー回析式粒度分布測定装置に使用される送液ポンプとして具体化した本考案にかかる送液ポンプの実施例を示す断面図であり、図２はシール部材の交換時の状態を示す断面図であって、符号１でポンプボデイを示す。このポンプボデイ１はステー２並びに固定ボルト２ａを介して基板４に固定され、内部にポンプ室５が形成されている。
【００１１】
ポンプ室５にはローター軸６によって回転するポンプロータ３が装着されている。ポンプ室５は、図外の分散槽で攪拌分散した試料粒と液体との混合サンプル液を、流入管８を介して取り入れる流入口７と、このサンプル液を排出する流出口９が設けられており、流出口９に接続された流出管１０からサンプル液が図外の測定部に送られる。
【００１２】
ローター軸６はポンプボデイ１を貫通して外部に延長されており、その延長部分を支える軸受け部材１１がポンプボデイ１に取付ボルト１１ａを介して着脱自在に取り付けられている。軸受け部材１１はローター軸６に摺接する軸受け１１ｂを備えている。またポンプボデイ１の内部でローター軸６の周面に複数の、本実施例では４つのシール部材１２が装着されている。このシール部材１２はＰＴＦＥ繊維とＰＴＦＥ含浸材で作られた市販のグランドパッキンが使用される。また、シール部材１２は、軸受け部材１１をポンプボデイ１並びにローター軸６から取り外すことによって外部から着脱（交換）できるようになっている。
【００１３】
軸受け部材１１には、外側に延びるフランジ部１１ｃが一体的に形成されており、このフランジ部１１ｃに複数のスペーサー１３を介してローター軸６を駆動するためのモーター１４が取り付けられている。モーター１４の軸１５は、軸受け部材１１の軸受け１１ｂの軸芯と同軸となるように正確に調整されて配置され、カップリング１６を介して軸受け部材１１に支持されたローター軸６と着脱自在に連結できるように構成されている。即ち、軸受け部材１１とモーター１４とは一つのユニットとして構成され、軸受け部材１１とポンプボディ１は精密なはめ合い部１１ｄを有し、このはめ合い部１１ｄによりポンプボデイ１に着脱できる構造となっている。
【００１４】
また、軸受け部材１をポンプボデイ１に組み付けた時に、シール部材１２を軸受け部材１１側から弾圧するスプリング１７が、カラー１８及びバネ受け１９と共に、軸受け部材１１とポンプボデイ１との間に設けられている。これにより、シール部材１２を常に所定の圧力でシール部材１２を弾圧してローター軸６の周面に密着させてシール効果を高めている。また、このスプリング１７，カラー１８並びにバネ受け１９は軸受け部材１１を取り外したときにローター軸６から取り外しできるようになっている。また、軸受け部材１１に設けられた２ヶ所の押しねじ１１ｅにより、スプリング１７の弾圧力を調節することができ、シール材１２のシール効果を調節できるようになっている。
【００１５】
上記の構成において、シール部材１２を交換するときは、図２に示すように、軸受け部材１１の取付ボルト１１ａを緩めるとともに、カップリング１６の固定ネジ１６ａを緩めて軸受け部材１１とモーター１４のユニットをポンプボデイ１並びにローター軸６から取り外す。これにより、シール部材１２を拘束するものはなくなり、自由に交換することが可能となる。シール部材１２を交換したあとは、カラー１８、スプリング１７、バネ受け１９を順次ローター軸６に嵌めこんで軸受け部材１１とモーター１４とのユニットをポンプボデイ１に取り付ければよい。この際、モーター１４はスペーサー１３を介して軸受け部材１１に連結保持されて一つのユニットとして組成されているから、軸受け部材１１の軸受け１１ｂの軸芯とモーター軸１５の軸芯とは変動することがなく常に設定位置に保持されるので、再組み付け時において、ローター軸６の軸芯とモーター軸１５の軸芯との間に狂いが生じることがない。また、ポンプボデイ１に対し、軸受け部材１１とモーター１４とのユニットを着脱する際、軸受け部材１１とポンプボディとの精密なはめ合い部１１ｄをはめ合わせるだけで簡単に且つ短時間でシール部材を交換することができるものである。
【産業上の利用可能性】
【００１６】
本考案は、レーザー回析式粒度分布測定装置のサンプル液の送液ポンプをはじめとする種々の総液ポンプに利用することができる。
【図面の簡単な説明】
【００１７】
【図１】本考案に係る送液ポンプの一実施例を示す断面図。
【図２】上記送液ポンプの、シール部材交換時の状態を示す断面図。
【図３】従来の送液ポンプを示す断面図。
【符号の説明】
【００１８】
１  ポンプボデイ
３  ポンプロータ
４  基板
５  ポンプ室
６  ローター軸
１１  軸受け部材
１１ｃ  フランジ部
１２  シール部材
１３  スペーサー
１４  モーター
１５  モーター軸
１６  カップリング
【図１】
0003117327.tif 000003
【図２】
0003117327.tif 000004
【図３】
0003117327.tif 000005